(57)【特許請求の範囲】
【請求項１】
平らにした状態において、脚部（２）のウェルト（４）側に寿司の具模様（ａ、ｂ、ｃ、ｄ、ｅ、ｆ）を有し、前記ウェルト（４）が飯色となった靴下であって、その平らにした状態の靴下がその爪先（３）からウェルト（４）に向かって順々に畳まれ、その畳んだ部分にウェルト（４）がひっくり返して被せられており、そのひっくり返して被せられた表側となるウェルト（４）表面が前記飯色となっているとともに、そのウェルトから露出した前記畳んだ部分の前記表側となる表面に前記寿司の具模様（ａ、ｂ、ｃ、ｄ、ｅ、ｆ）が表れて、握り寿司に模したものとなっていることを特徴とする靴下。
【請求項２】
請求項１に記載の靴下において、上記平らにした状態の靴下の爪先（３）が靴下の幅全長に亘る折り目線を介しウェルト（４）に向かって折り曲げられ、その折り曲げられた部分は、さらに前記平らにした状態の靴下の長さ方向に対して斜め方向に折り曲げられて三角形を形成し、その三角形の折り曲げられた部分は、さらに前記三角形の前記靴下の長さ方向のウエルト（４）の反対側に突出する鋭角（１ｅ’）がウェルト（４）の側縁の延長線上から飛び出るようにウェルト（４）に向かって折り曲げられ、その突出した状態の靴下は、さらに、前記ウェルト（４）に向かって順々に畳まれ、その畳んだ部分にウェルト（４）がひっくり返して被せられて、前記突出した鋭角（１ｅ’）がウェルト（４）で被った部分から突出していることを特徴とする靴下。
【請求項３】
脚部（２）に魚の切り身模様（ｈ）を有し、爪先（３）部分が飯色となった平面視く字状の靴下であって、その平ら状態にしたく字状の靴下が、その爪先（３）からウェルト（４）に向かって踵部（１）を横切って靴下の幅全長に亘る折り目線を介し真っ直ぐに折り重ねられて、その折り重なった部分は前記折り目線と前記靴下側縁のなす鋭角（ｗ）が靴下の長さ方向に突出し、その鋭角（ｗ）を含む部分が、その鋭角（ｗ）を折り畳み方向の先にしてウェルト（４）側に向かってそのウェルト（４）の側縁の延長線上に位置して三角形をなすように折り目線を介して折り畳まれ、その三角形に畳まれた部分も前記折り目線と靴下側縁のなす鋭角（ｗ）が靴下の長さ方向に突出し、さらに、その三角形をなす折り畳み部分が、前記鋭角（ｗ）を折り畳み方向の先にしてウェルト（４）側に向かってそのウェルト（４）の側縁の延長線上に位置して三角形をなすように折り目線を介して折り畳まれて、その三角形に畳まれた部分も前記折り目線と靴下側縁のなす鋭角（ｗ）が靴下の長さ方向に突出し、さらに、その三角形をなす畳み部分が、前記鋭角（ｗ）を折り畳み方向の先にしてウェルト（４）側に向かって三角形をなすように折り目線を介して折り畳まれ、前記ウェルト（４）がその三角形をなす部分の折り畳んだ折り目線で形成される縁間に入り込んでおり、その三角形なす部分の靴下の側面は前記爪先（３）部分の飯色が表れ、前記三角形なす部分の靴下の表面には前記脚部（２）の魚の切り身模様（ｈ）が表れて、ます寿司に模したものとなっていることを特徴とする靴下。
【請求項４】
脚部（２）に魚の切り身模様（ｈ）を有し、爪先（３）部分が飯色となった靴下であって、真っ直ぐに平らにした状態の前記靴下の爪先（３）の部分が脚部（２）に対してその脚部（２）途中で斜めに折り畳まれ、その折り畳んだ爪先（３）部分の上に残りの脚部（２）及びウェルト（４）部分が前記爪先部分の側縁に折り目線が位置するように折り重なってその折り目線の一端にその折り目線と前記靴下側縁からなる鋭角（ｗ）が作られて、前記斜めに折り畳まれた爪先（３）の部分側に残った部分で前記鋭角（ｗ）を有する三角形が形成され、さらに、前記折り畳んだ爪先（３）部分が前記三角形の部分にその三角形側縁に折り目線が位置してウェルト（４）に向くように折り重ねられ、さらに、前記三角形の部分に前記爪先（３）部分が前記三角形の辺に沿って折り返されるとともに、前記三角形の部分から突出する脚部（２）及びウェルト（４）部分がその折り返した爪先（３）部分の上に前記三角形の部分の側縁を折り目線として折り重ねられて、その折り重ねたウェルト（４）部分が前記三角形の部分の折り重ねた折り目線で形成される縁間に入り込んでおり、その三角形の部分の靴下の側面は前記爪先（３）部分の飯色が表れ、前記三角形の部分の靴下の表面には前記脚部（２）の魚の切り身模様（ｈ）が表れて、ます寿司に模したものとなっていることを特徴とする靴下。
【請求項５】
脚部（２）の爪先（３）側に玉子焼き等の巻き寿司の具を模した模様（ｉ１、ｉ２、ｉ３、ｉ４）を有し、ウェルト（４）は海苔巻き色となっている靴下であって、その平らにした状態の靴下がその幅方向半分に折り畳まれ、その折り畳まれた靴下が爪先（３）からウェルト（４）に向かって巻き上げられ、その巻き上げた部分がその軸心が前記幅方向に直交するウェルト（４）に向く方向に位置して、その巻き上げ部分にウェルト（４）がひっくり返されて被っており、そのひっくり返した表側となるウェルト（４）表面に前記海苔巻き色が表れ、その円環状ウェルト（４）内に、前記巻き寿司の具を模した模様（ｉ１、ｉ２、ｉ３、ｉ４）が現れて巻き寿司に模したものとなっていることを特徴とする靴下。
【請求項６】
２足の靴下（Ａ１０１、Ａ１０２）からなり、その一方の靴下（Ａ１０１）はその脚部（２）のウェルト（４）側に魚の表皮模様（ｊ）を有するとともにウェルト（４）が飯色となっており、他方の靴下（Ａ１０２）は、その脚部（２）のウェルト（４）側に前記魚の切り身断面模様を有しており、他方の靴下（Ａ１０２）のウェルト（４）部分が脚部（２）の中側に入れられ、両靴下（Ａ１０１、Ａ１０２）がその幅方向半分に折り畳まれ、その折り畳んだ一方の靴下（１０１）に他方の靴下（Ａ１０２）が爪先（３）を揃えて重ねられ、それを爪先（３）からウェルト（４）に向かって巻き上げられて、その巻き上げた部分が一方の靴下（Ａ１０１）のウェルト（４）内に入り込んでそのウェルト（４）で包み込まれて円柱状となっており、その包んだ表側となるウェルト（４）表面が前記飯色となり、その円柱状体の外周表面の約半分に前記魚の表皮模様（ｊ）が現れ、その円柱状体の側面の前記ウェルト（４）以外には前記切り身断面模様が現れ、飯に魚の切り身が載った押し寿司に模したものとなっていることを特徴とする靴下。
【請求項７】
２足の靴下（Ａ１２１、Ａ１２２）からなり、その一方の靴下（Ａ１２１）のウェルト（４）部分が黒色とされているとともに、他の全体が海苔色とされ、他方の靴下（Ａ１２２）は全体が飯色となったものであり、他方の靴下（Ａ１２２）が、請求項３に記載の折り畳みによって上記三角形をなす部分からなる又は請求項４に記載の折り重ねによって上記三角形の部分からなる飯色のみの三角おむすび状となっており、前記一方の靴下（Ａ１２１）が平らにした状態の爪先（３）側及びウェルト（４）側をそれぞれ相互に向かって重なり合うように折り畳まれ、その折り畳まれた状態の一方の靴下（Ａ１２１）の一側に前記三角おむすび状の他方の靴下（Ａ１２２）が載り、その三角おむすび状の他方の靴下（Ａ１２２）の上に前記折り畳まれた状態の一方の靴下（Ａ１２１）の他側部分が重なって、海苔巻きされたおむすびに模したものとなっていることを特徴とする靴下。
【発明の詳細な説明】
【技術分野】
【０００１】
この発明は、畳むことによって「寿司態様」（寿司を模す態様）等となる靴下に関するものである。
【背景技術】
【０００２】
靴下（ソックス）は脚部を被う衣類であり、その表面模様は編み糸の色や編み方を変化させることによって種々のものが得られる。
このような靴下において、その靴下表面に絵柄を施（形成）したり（特許文献１要約参照）、その絵柄を発光ダイオードによって照射したりして（特許文献２要約参照）、特異性を出したものがある。
【０００３】
一方、寿司（すし）は、日本人のみならず、外国人にとっても、人気の高い食物（食べ物）である。このため、その寿司に似せた包装菓子が提案されている（特許文献３図１〜図１３参照）。
この菓子は、小片状の菓子をフィルムで包み、そのフィルムの表面に寿司の具（ネタ）を描いたり、写真印刷（形成）したりするとともに、他の部分のフィルムを透明にして菓子を見えるようにしたものであり、非常に好評を得ている。
【先行技術文献】
【特許文献】
【０００４】
【特許文献１】特開２００２−２０９０３号公報
【特許文献２】特開２０１１−４７０７３号公報
【特許文献３】特許第４４０２００１号公報
【発明の概要】
【発明が解決しようとする課題】
【０００５】
この発明は、以上の実情の下、寿司の人気を靴下に取り入れるようにすることを課題とする。
【課題を解決するための手段】
【０００６】
まず、靴下のウェルトは、口ゴム部分からなって、その中に物を入れればその物を包んで収納し得る。つぎに、その包んだウェルトが白色等の飯色（めしいろ）であり、そのウェルトの開口部から前記包んだ物が露出し、その露出部分が寿司の具に似ておれば、その包まれた靴下は「握り寿司」に似た（模した）ものとなる（図１Ｃ、図２Ｃ、図３Ｃ、図４Ｃ、図５Ｃ、図６Ｂ、図７Ｃ参照）。
【０００７】
以上の知見の下、上記課題を達成するためのこの発明は、平らにした状態の靴下がその爪先からウェルトに向かって順々に畳まれ、その畳んだ部分にウェルトをひっくり返して被せられ、そのひっくり返して被せられた表側となるウェルト表面が飯色となっているとともに、そのウェルトから露出した前記畳んだ部分の表側となる表面には寿司の具模様が描かれて、握り寿司に模したものとなっている構成を採用したのである。
この靴下は、踵があるものは当然に、無いものであっても良い。今日、踵のない靴下も販売されているからである。また、寿司の具は、印刷、糸の色変化及び編み方等の種々の手段で描き、その具の装飾ができれば、その地をなす糸や編み方も任意である。ウェルトの丈や色もその他の部分を包んで飯を現し得れば任意である。
具も、エビ（海老）、マグロ（鮪）、鯛、玉子焼、さけ（鮭）イクラ（いくら）、鮹（タコ）等と具になるものであれば、任意である。
【０００８】
この握り寿司に模し得る靴下において、胡瓜片や魚の尾ひれ等をウェルト内に差し込むことができ、その魚の尾ひれ等を有する握り寿司ともし得る。その胡瓜片等を差し込まない同様な態様は、例えば、上記靴下において、平らにした状態の靴下の爪先が靴下の幅全長に亘る折り目線を介しウェルトに向かって折り曲げられ、その折り曲げられた部分は、さらに前記平らにした状態の靴下の長さ方向に対して斜め方向に折り曲げられて三角形を形成し、その三角形の折り曲げられた部分は、さらに前記三角形の前記靴下の長さ方向のウエルトの反対側に突出する鋭角がウェルトの側縁の延長線上から飛び出るようにウェルトに向かって折り曲げられ、その突出した状態の靴下は、さらに、前記ウェルトに向かって順々に畳まれ、その畳んだ部分にウェルトがひっくり返して被せられて、前記突出した鋭角がウェルトで被った部分から突出している構成等とすることができる。
【０００９】
また、長い筒状の靴下を扁平にして（平らにして）三角状に折り畳めば、厚みのある三角板状となり、その三角板状材を環状に並べれば、富山名産の「ます寿司」に似た（模した）ものとなる。
この知見の下、上記課題を達成するためのこの発明の他の手段は、踵を有する靴下（図８Ａ参照）にあっては、脚部に魚の切り身模様を有し、爪先部分が飯色となった平面視く字状の靴下であって、平ら状態にしたく字状の靴下が、その爪先からウェルトに向かって踵部を横切って靴下の幅全長に亘る折り目線を介し真っ直ぐに折り重ねられて、その折り重なった部分は前記折り目線と前記靴下側縁のなす鋭角が靴下の長さ方向に突出し、その鋭角を含む部分が、その鋭角を折り畳み方向の先にしてウェルト側に向かってそのウェルトの側縁の延長線上に位置して三角形をなすように折り目線を介して折り畳まれ、その三角形に畳まれた部分も前記折り目線と靴下側縁のなす鋭角が靴下の長さ方向に突出し、さらに、その三角形をなす折り畳み部分が、前記鋭角を折り畳み方向の先にしてウェルト側に向かってそのウェルトの側縁の延長線上に位置して三角形をなすように折り目線を介して折り畳まれて、その三角形に畳まれた部分も前記折り目線と靴下側縁のなす鋭角が靴下の長さ方向に突出し、さらに、その三角形をなす畳み部分が、前記鋭角を折り畳み方向の先にしてウェルト側に向かって三角形をなすように折り目線を介して折り畳まれ、前記ウェルトがその三角形をなす部分の折り畳んだ折り目線で形成される縁間に入り込んでおり、その三角形なす部分の靴下の側面は前記爪先部分の飯色が表れ、前記三角形なす部分の靴下の表面には前記脚部の魚の切り身模様が表れて、ます寿司に模したものとなっている構成を採用したのである。
【００１０】
また、踵の無い真っ直ぐな靴下（図１４Ａ参照）にあっては、  脚部に魚の切り身模様を有し、爪先部分が飯色となった靴下であって、真っ直ぐに平らにした状態の前記靴下の爪先の部分が脚部に対してその脚部途中で斜めに折り畳まれ、その折り畳んだ爪先部分の上に残りの脚部及びウェルト部分が前記爪先部分の側縁に折り目線が位置するように折り重なってその折り目線の一端にその折り目線と前記靴下側縁からなる鋭角が作られて、前記斜めに折り畳まれた際に爪先の部分側に残った部分で前記鋭角を有する三角形が形成され、さらに、前記折り畳んだ爪先部分が前記三角形の部分にその三角形側縁に折り目線が位置してウェルトに向くように折り重ねられ、さらに、前記三角形の部分に前記爪先部分が前記三角形の辺に沿って折り返されるとともに、前記三角形の部分から突出する脚部及びウェルト部分がその折り返した爪先部分の上に前記三角形の部分の側縁を折り目線として折り重ねられて、その折り重ねたウェルト部分が前記三角形の部分の折り重ねた折り目線で形成される縁間に入り込んでおり、その三角形の部分の靴下の側面は前記爪先部分の飯色が表れ、前記三角形の部分の靴下の表面には前記脚部の魚の切り身模様が表れて、ます寿司に模したものとなっている構成を採用したのである。
【００１１】
この三角板状材となった靴下を、「ます寿司（鱒寿司）」のように、六角状桶（箱）等に環状に６個等納めれば、「ます寿司」を模したものとなる。
上記魚の切り身模様は、ます（鱒）の切り身模様が好ましいが、ぶり（鰤）であったり、さけ（鮭）であったりと他の魚の切り身模様でも良い。その切り身模様は、印刷、糸の色変化及び編み方等の種々の手段によって設ける。
【００１２】
さらに、  脚部の爪先側に玉子焼き等の巻き寿司の具を模した模様を有し、ウェルトは海苔巻き色となっている靴下であって、平らにした状態の前記靴下がその幅方向半分に折り畳まれ、その折り畳まれた靴下が爪先からウェルトに向かって巻き上げられ、その巻き上げた部分がその軸心が前記幅方向に直交するウェルトに向く方向に位置して、その巻き上げ部分にウェルトがひっくり返されて被っており、そのひっくり返した表側となるウェルト表面に前記海苔巻き色が表れ、その円環状ウェルト内に、前記巻き寿司の具を模した模様が現れて巻き寿司に模したものとなっている構成を採用することができる。
【００１３】
以上の寿司に模したものは一つの靴下で構成したが、２足（この発明においては、片足のみを一足という）で構成することもできる。
例えば、その２足の靴下の一方はその脚部のウェルト側に魚の表皮模様を有するとともにウェルトが飯色となっており、他方の靴下は、その脚部のウェルト側に前記魚の切り身断面模様を有しており、他方の靴下のウェルト部分が脚部の中側に入れられ、両靴下がその幅方向半分に折り畳まれ、その折り畳んだ一方の靴下に他方の靴下が爪先を揃えて重ねられ、それが爪先からウェルトに向かって巻き上げられて、その巻き上げられた部分が一方の靴下のウェルト内に入り込んでそのウェルトで包み込まれて円柱状となっており、その包んだ表側となるウェルト表面が飯色となり、その円柱状体の外周表面の約半分に前記魚の表皮模様が現れ、その円柱状体の側面の前記ウェルト以外には前記切り身断面模様が現れ、飯に魚の切り身が載った押し寿司に模したものとなっている構成を採用することができる。
【００１４】
また、その踵部を裏側として真っ直ぐに平らにした状態の２足の靴下の一方は、その脚部のウェルト側表面に魚の切り身模様が形成され、他方の靴下は、その脚部のウェルト側裏面に前記魚の切り身断面模様が形成されたものであり、この２足の靴下が、踵部を表側にして平らにした状態で、一方の靴下に他方の靴下が爪先を揃えて重ねられ、その２足重ねた爪先側からウェルトに向かって３分の１程が折り畳まれ、その折り畳んだ部分がさらにウェルトに向かって半分に折り畳まれ、さらにその折り畳んだ部分がウェルトに向かってそのウェルトの手前まで折り畳まれ、一方の靴下のウェルトが、前記手前まで折り畳んだ部分に、他方の靴下のウェルトを折り込み介在して包むように被せられて四角折り状態となっており、この四角折り状態は、そのウェルトの四角折り状態の裏側となる表面及び側面が飯色となり、その飯色の反対側の表側となる表面に前記切り身模様が現れ、前記四角折り状態側面の飯色部分の前記切り身模様側に前記切り身断面模様が現れ、飯に魚の切り身が載った押し寿司に模したものとなっている構成を採用することができる。
【００１５】
さらに、その２足の靴下の一方は、ウェルト部分が黒色、他の全体が海苔色とされたものであり、他方の靴下は、全体が飯色とされたものであり、他方の靴下が、上記の鱒寿司のように、折り重ね等によって上記三角形の部分からなる飯色のみの三角おむすび状となっており、前記一方の靴下が平らにした状態の爪先側及びウェルト側がそれぞれ相互に向かって重なり合うように折り畳まれ、その折り畳まれた状態の一方の靴下の一側に、前記三角おむすび状の他方の靴下が載り、その三角おむすび状の他方の靴下を前記折り畳まれた状態の一方の靴下の他側部分が重なって、海苔巻きされたおむすびに模したものとなっている構成を採用することができる。
【発明の効果】
【００１６】
この発明は、以上のように構成して、寿司に似せる態様とすることができるため、靴下としては勿論、装飾具等ともなる。このため、贈り物等、特に、外国人の贈り物やおみやげ等として最適な品となる。
【図面の簡単な説明】
【００１７】
【図１Ａ】この発明に係る靴下のまぐろ（マグロ）握り寿司の態様とする実施形態を示し、（ａ）は正面図、（ｂ）は（ａ）の中央線で折り開き扁平にした表面図、（ｃ）は同裏面図
【図１Ｂ】（ａ）〜（ｃ）は同まぐろ握り寿司態様への畳み方説明図
【図１Ｃ】（ａ）は同まぐろ握り寿司態様にした斜視図、（ｂ）は同正面図、（ｃ）は同側面図、（ｄ）は同背面図
【図２Ａ】この発明に係る靴下の玉子焼握り寿司の態様とする実施形態を示し、（ａ）は正面図、（ｂ）は（ａ）の中央線で折り開き扁平にした表面図、（ｃ）は同裏面図
【図２Ｂ】（ａ）〜（ｃ）は同玉子焼握り寿司態様への畳み方説明図
【図２Ｃ】（ａ）は同玉子焼握り寿司態様にした斜視図、（ｂ）は同正面図、（ｃ）は同側面図、（ｄ）は同背面図
【図３Ａ】この発明に係る靴下のタコ握り寿司の態様とする実施形態を示し、（ａ）は正面図、（ｂ）は（ａ）の中央線で折り開き扁平にした表面図、（ｃ）は同裏面図
【図３Ｂ】（ａ）〜（ｃ）は同タコ握り寿司態様への畳み方説明図
【図３Ｃ】（ａ）は同タコ握り寿司態様にした斜視図、（ｂ）は同正面図、（ｃ）は同側面図、（ｄ）は同背面図
【図４Ａ】この発明に係る靴下のサーモン握り寿司態様とする実施形態を示し、（ａ）は正面図、（ｂ）は（ａ）の中央線で折り開き扁平にした表面図、（ｃ）は同裏面図
【図４Ｂ】（ａ）〜（ｃ）は同サーモン握り寿司態様への畳み方説明図
【図４Ｃ】（ａ）は同サーモン握り寿司態様にした斜視図、（ｂ）は同正面図、（ｃ）は同側面図、（ｄ）は同背面図
【図５Ａ】この発明に係る靴下のエビ握り寿司態様とする一実施形態を示し、（ａ）は正面図、（ｂ）は（ａ）の中央線で折り開き扁平にした表面図、（ｃ）は同裏面図
【図５Ｂ】（ａ）〜（ｃ）は同エビ握り寿司態様への畳み方説明図
【図５Ｃ】（ａ）は同エビ握り寿司態様にした斜視図、（ｂ）は他の同エビ握り寿司態様にした斜視図、（ｃ）は（ａ）の正面図、（ｄ）は同側面図、（ｅ）は同背面図
【図６Ａ】この発明に係る靴下のエビ握り寿司態様とする他の実施形態を示し、（ａ）〜（ｄ）は同エビ握り寿司態様への畳み方説明図
【図６Ｂ】（ａ）は同エビ握り寿司態様にした斜視図、（ｂ）は同側面図、（ｃ）は同背面図
【図７Ａ】この発明に係る靴下のいくら軍艦巻き寿司の態様とする一実施形態を示し、（ａ）は正面図、（ｂ）は（ａ）の中央線で折り開き扁平にした表面図、（ｃ）は同裏面図
【図７Ｂ】（ａ）〜（ｃ）は同いくら軍艦巻き寿司態様への畳み方説明図
【図７Ｃ】（ａ）は同いくら軍艦巻き寿司態様にした斜視図、（ｂ）は他の同いくら軍艦巻き寿司態様にした斜視図、（ｃ）は（ａ）の正面図、（ｄ）は同側面図、（ｅ）は同背面図
【図８Ａ】この発明に係る靴下のます寿司態様とする一実施形態を示し、（ａ）は正面図、（ｂ）は背面図
【図８Ｂ】（ａ）〜（ｅ）は同ます寿司態様への畳み方説明図
【図８Ｃ】同ます寿司態様に畳んだ靴下の一収納状態斜視図
【図８Ｄ】他の同ます寿司態様にした斜視図
【図９Ａ】この発明に係る靴下の巻き寿司態様とする実施形態を示し、（ａ）は正面図、（ｂ）は（ａ）の中央線で折り開き扁平にした表面図、（ｃ）は同裏面図
【図９Ｂ】（ａ）〜（ｄ）は同巻き寿司態様への畳み方説明図
【図９Ｃ】（ａ）は同巻き寿司態様にした斜視図、（ｂ）は同正面図、（ｄ）は同側面図、（ｅ）は同背面図
【図１０Ａ】この発明に係る靴下の鯖寿司態様とする実施形態を示し、（ａ）は一方の靴下の中央線で折り開き扁平にした表面図、（ｂ）は同裏面図、（ｃ）は他方の靴下の正面図、（ｄ）は（ｃ）の中央線で折り開き扁平にした表面図、（ｅ）は同裏面図
【図１０Ｂ】（ａ）〜（ｄ）は同鯖寿司態様への畳み方説明図
【図１０Ｃ】同鯖寿司態様にした斜視図、（ｂ）は同左側面図、（ｃ）は正面図、（ｄ）は右側面図、（ｅ）は背面図
【図１１Ａ】この発明に係る靴下の笹寿司態様とする実施形態を示し、（ａ）は正面図、（ｂ）は（ａ）の中央線で折り開き扁平にした表面図、（ｃ）は同裏面図
【図１１Ｂ】（ａ）〜（ｆ）は同笹寿司態様への畳み方説明図
【図１１Ｃ】同笹寿司態様にした斜視図、（ｂ）は同正面図、（ｃ）は同側面図、（ｄ）は同背面図
【図１２Ａ】この発明に係る靴下のおにぎり態様とする実施形態を示し、（ａ）は一の靴下の裏面図、（ｂ）は同表面図、（ｃ）は他の靴下の裏面図、（ｄ）は同表面図
【図１２Ｂ】（ａ）〜（ｃ）は同おにぎり態様への畳み方説明図
【図１２Ｃ】（ａ）は同おにぎり態様にした平面図、（ｂ）は同包装した状態の平面図
【図１３Ａ】この発明に係る靴下のいくら軍艦巻き寿司の態様とする他の実施形態を示し、（ａ）は表面図、（ｂ）は裏面図
【図１３Ｂ】（ａ）〜（ｃ）は同いくら軍艦巻き寿司態様への畳み方説明図
【図１３Ｃ】（ａ）は同いくら軍艦巻き寿司態様にした斜視図、（ｂ）は他の同いくら軍艦巻き寿司態様にした斜視図、（ｃ）は（ａ）の正面図、（ｄ）は同側面図、（ｅ）は同背面図
【図１４Ａ】この発明に係る靴下のます寿司態様とする他の実施形態を示し、（ａ）は表面図、（ｂ）は裏面図
【図１４Ｂ】（ａ）〜（ｄ）は同ます寿司態様への畳み方説明図
【図１４Ｃ】（ｅ）〜（ｈ）は同ます寿司態様への畳み方説明図
【発明を実施するための形態】
【００１８】
この発明に係る靴下の各実施形態を図１Ａ〜図１４Ｃに示し、この靴下Ａは、丸編みや平編み等の従来周知の種々の編み方で製造され、踵部（踵）１を有するものＡ１〜Ａ１２２（図１Ａ〜図１２Ａ参照）、踵１の無いものＡ１３、Ａ１４がある（図１３Ａ、図１４Ａ参照）。後者の踵１の無い物は、足の大きさの制限が少ないため、ロット数を減らすことができる。
【００１９】
その図１Ａ〜図１Ｃに示す靴下Ａ１は、まぐろ（マグロ）の「握り寿司」に模し得るものであり、脚部２の上部裏面（ふくらはぎ）に「マグロ」と記載され、その周りは鮪（まぐろ）の切り身色（赤身色）とされ（図１Ａ（ｃ）参照）、その表面（脛：弁慶の泣き所）には鮪の切り身模様ａが形成され（以下、適宜に「形成され」を「有する」意ともする）、ウェルト４が飯色（白色）となっている（同図（ｂ）参照）。これらの「マグロ」文字、その周りの切り身色及び切り身模様ａは、その適宜な着色糸及び編み方によって形成している（以下の各実施形態の各靴下Ａ２〜Ａ１４も同様）。
この靴下Ａ１は、図１Ａ（ｃ）〜図１Ｃ（ａ）に示すように、踵部１を表にして平らにした状態（図１Ａ（ｃ））として、爪先３から順々に畳み（図１Ａ（ｃ））→図１Ｂ（ａ）→図１Ｂ（ｂ）→図１Ｂ（ｃ））、その畳んだ部分にウェルト４をひっくり返して被せる（図１Ｃ（ａ））。この状態は、図１Ｃ（ａ）〜同（ｃ）に示すように、そのウェルト４表面の白色が飯色となり、そのウェルト４から露出した畳んだ部分の表面には鮪の切り身模様ａが露出した「マグロの握り寿司」に模したものとなる。
【００２０】
図２Ａ〜図２Ｃに示す靴下Ａ２は、玉子焼の「握り寿司」に模し得るものであり、同様に、脚部２の上部裏面（ふくらはぎ）に「玉子」と記載されてその周りが玉子焼色（黄色）とされ（図２Ａ（ｃ）参照）、その表面（脛：弁慶の泣き所）には玉子焼模様ｂ及び海苔ｂ’が形成されている（同図（ａ）〜同（ｃ））参照）。
この靴下Ａ２は、図２Ａ（ｃ）〜図２Ｃ（ａ）に示すように、同様に、踵部１を表にして平らにした状態（図２Ａ（ｃ））として、爪先３から順々に畳み（図２Ｂ（ａ）→図２Ｂ（ｂ）→図２Ｂ（ｃ））、その畳んだ部分にウェルト４をひっくり返して被せる（図２Ｃ（ａ））。この状態は、図２Ｃ（ａ）〜同（ｄ）に示すように、そのウェルト４表面の白色が飯色となり、そのウェルト４から露出した畳んだ部分の表面には玉子焼焼き模様ｂと焼き海苔ｂ’が露出した「玉子焼の握り寿司」に模したものとなる。
【００２１】
図３Ａ〜図３Ｃに示す靴下Ａ３は、鮹（たこ）の「握り寿司」に模し得るものであり、同様に、脚部２の上部裏面（ふくらはぎ）に「タコ」と記載されてその周りが鮹の白身部分の白色とされ（図３Ａ（ｃ）参照）、その表面（脛：弁慶の泣き所）には鮹の吸盤が現れた鮹の切り身模様ｃが形成されている（同図（ａ）、同（ｂ）参照）。
この靴下Ａ３は、図３Ａ（ｃ）〜図３Ｃ（ａ）に示すように、同様に、踵部１を表にして平らにした状態（図３Ａ（ｃ））として、爪先３から順々に畳み（図３Ｂ（ａ）→図３Ｂ（ｂ）→図３Ｂ（ｃ））、その畳んだ部分にウェルト４をひっくり返して被せる（図３Ｃ（ａ））。この状態は、図３Ｃ（ａ）〜同（ｄ）に示すように、そのウェルト４表面の白色が飯色となり、そのウェルト４から露出した畳んだ部分の表面には鮹の切り身模様ｃが露出した「たこの握り寿司」に模したものとなる。
【００２２】
図４Ａ〜図４Ｃに示す靴下Ａ４は、鮭（サーモン）の「握り寿司」に模し得るものであり、脚部２の上部裏面（ふくらはぎ）に「サーモン」と記載されてその周りがサーモン色（橙色）とされ（図４Ａ（ｃ）参照））、その表面（脛：弁慶の泣き所）には鮭の切り身模様ｄが形成されている（同図（ａ）、同（ｂ）参照）。
この靴下Ａ４は、図４Ａ（ｃ）〜図４Ｃ（ａ）に示すように、同様に、踵部１を表にして平らにした状態（図４Ａ（ｃ））として、爪先３から順々に畳み（図４Ｂ（ａ）→図４Ｂ（ｂ）→図４Ｂ（ｃ））、その畳んだ部分にウェルト４をひっくり返して被せる（図４Ｃ（ａ））。この状態は、図４Ｃ（ａ）〜同（ｄ）に示すように、そのウェルト４表面の白色が飯色となり、そのウェルト４から露出した畳んだ部分の表面には鮭の切り身模様ｄが露出した「サーモンの握り寿司」に模したものとなる。
【００２３】
図５Ａ〜図５Ｃに示す靴下Ａ５は、海老（エビ）の「握り寿司」に模し得るものであり、脚部２の上部裏面（ふくらはぎ）に「エビ」と記載されてその周りが海老の色（桃色）とされ（図５Ａ（ｃ）参照）、その表面（脛：弁慶の泣き所）にはエビの切り身（皮剥）模様ｅが形成されている（同図（ａ）、（ｂ）参照）。
この靴下Ａ５は、図５Ａ（ｃ）〜図５Ｃ（ａ）に示すように、同様に、踵部１を表にして平らにした状態（図５Ａ（ｃ））として、爪先３から順々に畳み（図５Ｂ（ａ）→図５Ｂ（ｂ）→図５Ｂ（ｃ））、その畳んだ部分にウェルト４をひっくり返して被せる（図５Ｃ（ａ））。このとき、海老の尻尾を模した片ｅ’を差し込むことができる（図５Ｃ（ｂ）参照）。
この状態は、図５Ｃ（ａ）〜同（ｅ）に示すように、そのウェルト４表面の白色が飯色となり、そのウェルト４から露出した畳んだ部分の表面にはエビの皮剥模様ｅが露出した「エビの握り寿司」に模したものとなる。
【００２４】
図６Ａ〜図６Ｂに示す靴下Ａ５’は、上記と同様に、海老（エビ）の「握り寿司」に模し得るものであるが、上記の尻尾を模した片ｅ’も構成するようにしたものである。
この靴下Ａ５’は、図５Ａ（ｃ）の平らにした状態から、図６Ａ（ａ）〜同（ｄ）に示すように、まず、爪先３を靴下の幅全長に亘る折り目線を介し内側に（ウェルト４に向かって）折り曲げ（同図（ａ））、その折り曲げ部分は、さらに前記平らにした状態の靴下の長さ方向に対して斜め方向に折り曲げて三角形を形成し（同図（ｂ））、その三角形の折り曲げた部分は、さらに前記三角形の前記靴下の長さ方向のウェルト４の反対側に突出する鋭角１ｅ’がウェルト４の側縁の延長線上から飛び出るようにウェルト４に向かって折り曲げ（同図（ｃ））、その突出した状態の靴下は、さらに、前記ウェルト４に向かって順々に畳み、その畳んだ部分にウェルト４をひっくり返して被せる（図６Ｂ（ａ））。
この状態は、図６Ｂ（ａ）〜同（ｃ）に示すように、そのウェルト４表面の白色が飯色となり、そのウェルト４から露出した畳んだ部分の表面にはエビの皮剥模様ｅが露出し、上記突出した鋭角１ｅ’がエビの尻尾となった「エビの握り寿司」に模したものとなる。このとき、その突出した鋭角１ｅ’部分をエビの尻尾に模した柄（図５Ｃ（ｂ）の片ｅ’参照）とすることができる。
【００２５】
図７Ａ〜図７Ｃに示す靴下Ａ７は、いくら軍艦巻きの「握り寿司」に模し得るものであり、脚部２の上部裏面（ふくらはぎ）に「いくら軍艦」と記載されてその周りがいくらの色（朱色）とされ（図７Ａ（ｃ）参照）、その表面（脛：弁慶の泣き所）にはいくらを詰めた態様模様ｆが形成されている（同図（ａ）、（ｂ）参照）。また、ウェルト４は黒色とされている。
この靴下Ａ７は、図７Ａ（ｃ）〜図７Ｃ（ａ）に示すように、同様に、踵部１を表にして平らにした状態（図７Ａ（ｃ））として、爪先３から順々に畳み（図７Ａ（ｃ）→図７Ｂ（ａ）→図７Ｂ（ｂ）→図７Ｂ（ｃ））、その畳んだ部分にウェルト４をひっくり返して被せる（図７Ｃ（ａ））。このとき、適宜に、キュウリの切り模様片ｆ’を入れ込むことができる（図７Ｃ（ｂ）参照）。
この状態は、図７Ｃ（ａ）〜同（ｅ）に示すように、そのウェルト４表面の黒色が海苔巻き色となり、そのウェルト４から露出した畳んだ部分の表面にはいくらを詰めた態様模様ｆが露出した「いくら軍艦巻きの握り寿司」に模したものとなる。
【００２６】
図８Ａ〜図８Ｃに示す靴下Ａ８は、「ます寿司」に模し得るものであり、踵部１を有する平ら状態がく字状のものであって、爪先３部分から踵１部分までの足裏側が白色とされ、残りの部分は鱒の切り身模様ｈが描かれている（切り身模様ｈを有している）。また、その足裏の白地に「富山のます寿司」と記されている。
この靴下Ａ８は、図８Ｂ（ａ）〜同（ｅ）に示すように、図８Ａ（ａ）において、まず、爪先３又はウェルト４から踵部１を横切って靴下Ａ８の幅全長に亘る折り目線を介し真っ直ぐに折り重ねる。そのとき、その折り重ね部分は前記折り目線と靴下側縁のなす鋭角ｗが靴下の長さ方向に突出する（図８Ｂ（ａ））。つぎに、その鋭角ｗを含む部分を、その鋭角ｗを折り畳み方向の先にしてウェルト４側に向かってそのウェルト４の側縁の延長線上に位置して三角形をなすように（三角板状に）折り目線を介して折り畳み、その三角形に畳まれた部分も前記折り目線と靴下側縁のなす鋭角ｗが靴下の長さ方向に突出する（同図（ｂ））。さらに、その三角形をなす折り畳み部分を、前記鋭角ｗを折り畳み方向の先にしてウェルト４側に向かってそのウェルト４の側縁の延長線上に位置して三角形をなすように折り目線を介して折り畳み、その三角形に畳まれた部分も前記折り目線と靴下側縁のなす鋭角ｗが靴下の長さ方向に突出する（同図（ｃ））。さらに、その三角形をなす畳み部分を、前記鋭角ｗを折り畳み方向の先にしてウェルト４側に向かって三角形をなすように折り目線を介して折り畳み（同図（ｄ））、その三角形をなす部分からはみ出た片（ウェルト４の一部）をその三角形をなす部分の折り畳んだ折り目線で形成される縁間に入り込ませる（同図ｅ）。この三角形なす部分の靴下の側面は飯色が現れ、表面には「ますの切り身模様ｈ」が現れている。
この三角形なす物を、図８Ｃに示すように、六角枠状の箱（桶）Ｇ内に環状に六個並べる。すると、三角形状の「ますの切れ片ｈ」が周囲に六個並んでその各片の側縁から飯色が覗き、「富山のます寿司」に模したものとなる。箱Ｇの枠状は、６角に限らず、８角等と任意である。
また、図８Ｄに示すように、図８Ｂ（ｅ）で示す三角板状（三角形なす物）に折り畳んだ靴下Ａの一角に尾を模した片ｈ’’を挿入したものとすることもできる。
【００２７】
図９Ａ〜図９Ｃに示す靴下Ａ９は、「巻き寿司」に模し得るものであり、脚部２の上部裏面（ふくらはぎ）に「巻き寿司」と記載されてその周りが飯色（白色）とされ（図９Ａ（ｃ）参照）、爪先３の部分が黄色、その内側の甲から足裏に至る部分全周に、赤ｉ１、緑ｉ２、茶ｉ３、桃ｉ４の各色帯が形成され、ウェルト４は黒色とされている。
この靴下Ａ９は、図９Ｂ（ａ）〜同（ｄ）に示すように、同様に、踵部１を表にして平らにした状態（図９Ａ（ｃ））として、幅方向半分に折り畳み（図９Ｂ（ａ）、それを爪先３からウェルト４に向かって巻き上げる（図９Ｂ（ｂ）→同図（ｃ））。その巻き上げた部分をその軸心が前記幅方向に直交するウェルト４に向く方向に位置させた後（図９Ｂ（ｄ））、その巻き上げ部分にウェルト４をひっくり返して被せる（図９Ｃ）。
この状態は、図９Ｃ（ａ）〜同（ｄ）に示すように、そのウェルト４表面の黒色が海苔巻き色となり、その円環状ウェルト４内に、爪先３部分からなる玉子焼きを模した黄色、人参を模した赤色ｉ１、胡瓜を模した緑色ｉ２、椎茸を模した茶色ｉ３、ソーセージを模した桃色ｉ４が現れて「巻き寿司」に模したものとなる。
【００２８】
図１０Ａ〜図１０Ｃに示す靴下Ａ１０は、２足Ａ１０１、Ａ１０２によって「鯖寿司」に模し得るものであり、その一方の靴下Ａ１０１はその脚部２の上部裏面（ふくらはぎ）に「鯖寿司」と記載されてその周りがサックスブルー色とされ（図１０Ａ（ｂ）参照）、その表面には鯖の表皮模様ｊが形成されている（図１０Ａ（ａ）参照）。他方の靴下Ａ１０２は、図１０Ａ（ｃ）〜（ｅ）に示すように、その脚部２の上部裏面（ふくらはぎ）に「鯖寿司」と記載されてその周りが桃色とされ（図１０Ａ（ｅ）参照）、その表面はその桃色と茜色が形成されている（図１０Ａ（ｃ）、（ｄ）参照）。他の部分は白色となっている。
この靴下Ａ１０は、まず、図１０Ｂ（ａ）に示すように、他方の靴下Ａ１０２のウェルト４部分を脚部２の中側に折り曲げて入れ込み、その長さを一方の靴下Ａ１０１に対してウェルト４の部分短いものとする。
つぎに、その両靴下Ａ１０１、Ａ１０２を幅方向半分に折り畳み、一方の靴下１０１に他方の靴下Ａ１０２を爪先３を揃えて重ねる（図１０Ｂ（ｂ）。それを爪先３からウェルト４に向かって巻き上げ（図１０Ｂ（ｃ）、その巻き上げた部分にウェルト４をひっくり返して被せる（図１０Ｂ（ｄ）→図１０Ｃ）。すなわち、その巻き上げた部分を一方の靴下Ａ１０１のウェルト４内に入り込ませてそのウェルト４で包み込まれた円柱状とする。
このほぼ円柱状状態は、横向き（輪切り状態）の図１０Ｃ（ａ）〜同（ｅ）に示すように、そのウェルト４表面等の白色が飯色となり、その円柱状体の円表面の約半分に鯖の表皮模様ｊが現れ、その内側に桃色、その内側に茜色が現れ、飯に鯖の切り身が載った「鯖寿司」に模したものとなる。
【００２９】
図１１Ａ〜図１１Ｃに示す靴下Ａ１１は、同一態様の２足Ａ１１１、Ａ１１２によって「笹寿司」に模し得るものであり、その靴下Ａ１１１、Ａ１１２はその脚部２の上部裏面（ふくらはぎ）に「鱒寿司」と記載されてその周りが切り身断面模様となる朱色とされ（図１１Ａ（ｃ）参照）、その表面には鱒の切り身模様ｈ’が形成されている（図１１Ａ（ｂ）参照）。他の部分は白色となっている。
この靴下Ａ１１は、図１１Ｂ（ａ）に示すように、踵部１を表にして平らにした状態で、一方の靴下Ａ１１１に他方の靴下Ａ１１２を爪先３を揃えて重ねる。その２足重ねから爪先３側から３分の１程を折り畳み（同図（ｂ）、その折り畳んだ部分をさらに半分に折り畳み（同図（ｃ）、その折り畳んだ部分をウェルト４に向かってそのウェルト４の手前まで折り畳む（同図（ｄ））。その後、その折り畳んだ部分に一方の靴下Ａ１１１のウェルト４を他方の靴下Ａ１１２のウェルト４を折り込み介在して包むように被せる（同図（ｅ）→同図（ｆ））。
この四角折り状態は、図１１Ｃ（ａ）〜同（ｄ）に示すように、そのウェルト４の四角折り状態の裏側となる表面及び側面が飯色となり（図１１Ｃ（ｃ）、（ｄ）参照）、その飯色の反対側の表側となる表面に切り身模様ｈ’が現れ（図１１Ｃ（ａ），（ｂ）参照）、四角折り状態側面の飯色部分の切り身模様ｈ’側に上記朱色からなる切り身断面模様が２層に現れ、鮭の切り身ｈ’を飯の表面に設けた押し寿司の態様となる。この押し寿司状態の靴下Ａ１１を笹で包めば「笹寿司」に模したものとなる。
この押し寿司態様は、一方の靴下Ａ１１１又はＡ１１２のみでも同様に折り畳むことによって構成できる。この場合、飯部分が薄くなると共に、切り身断面模様が一層となる。
【００３０】
図１２Ａ〜図１２Ｃに示す靴下Ａ１２は、２足Ａ１２１、Ａ１２２によって「おむすび」に模し得るものであり、その一方の靴下Ａ１２１はその脚部２の上部に「のり」と記載され、ウェルト４部分が黒色、他の全体が海苔色とされたものである（図１２Ａ（ａ）、（ｂ）参照）。他方の靴下Ａ１２２は、全体が白色とされ、その脚部２の上部に「明太子」と記載され、足裏部分に「明太子」の模様ｋが形成されている（同図（ｃ）参照）。
この靴下Ａ１２は、まず、平らにした状態の他方の靴下Ａ１２２を、上述の図８Ｂで示したように折り畳んで三角板状とする。この三角板状は全体が飯色（白色）で三角おむすび状である。
つぎに、一方の靴下Ａ１２１を図１２Ｂ（ａ）に示すように、踵部１を表にして平らにした状態で、爪先３側から４分の１程を折り畳み（同図（ａ））、その折り畳んだ部分に重なるようにウェルト４側を３分の２程折り畳む（同図（ｂ）。
その折り畳んだ状態の靴下Ａ１２１の一側に、上記三角板状靴下Ａ１２２を載せ（図１２Ｂ（ｃ））、その靴下Ａ１２２に前記折り畳んだ状態の靴下Ａ１２１の他側部分を重ねる（図１２Ｃ（ａ））。これを透明の包装フィルム６で包むことによって、コンビニエンスストア等で売られている「おむすび」に模したものとなる（同図（ｂ））。
【００３１】
上記各実施形態の靴下Ａ１〜Ａ１２は踵１を有するものであったが、図１３Ａ、図１４Ａに示す踵１の無い靴下Ａ１３、Ａ１４もあっても、靴下Ａ１３については同じ畳み方でもって握り寿司に模したものとし、ます寿司態様にあっては、例えば、図１４Ａ〜図１４Ｃに示す畳み方態様とし得る。
【００３２】
すなわち、靴下Ａ１３にあっては、「いくら軍艦巻き寿司」に模し得るものを例にして説明すると、図１３Ａ（ａ）、（ｂ）に示すように、同様に、脚部２の上部裏面（ふくらはぎ）に「いくら軍艦」と記載されてその周りがいくらの色（朱色）とされ、その表面（脛：弁慶の泣き所）にはいくらを軍艦巻き状に詰めた態様模様ｆが形成されている。
この靴下Ａ１３は、図１３Ｂ（ａ）〜同図（ｃ）に示すように、同様に、爪先３から畳み、その畳んだ部分にウェルト４をひっくり返して被せる（図１３Ｃ（ａ））。このとき、適宜に、キュウリの切り模様片ｆ’を入れ込む（図１３Ｃ（ｂ）参照）。
この状態は、図１３Ｃ（ａ）〜同（ｅ）に示すように、同様に、そのウェルト４表面の黒色が海苔色となり、そのウェルト４から露出した畳んだ部分の表面にはいくらを詰めた態様模様ｆが露出した「いくら軍艦巻き寿司」に模したものとなる。
他のマグロなどの握り寿司においても、踵１の無い靴下にあっては同様にしてそれらの寿司に模したものとする。
【００３３】
図１４Ａに示す「ます寿司」を模す靴下Ａ１４にあっては、同図に示すように、脚部２にますの切り身模様ｈを有し、爪先３部分が飯色となった靴下であり、図１４Ｂ（ａ）〜（ｄ）及び図１４Ｃ（ｅ）〜（ｈ）に示すように、真っ直ぐに平らにした状態の靴下の爪先３の部分を脚部２に対してその脚部２途中でウェルト４に向かって斜めに折り畳み（図１４Ｂ（ａ））、その折り畳んだ爪先３部分の上に残りの脚部２及びウェルト４部分を爪先部分の側縁に折り目線が位置するように折り重ねてその折り目線の一端に「ます寿司」の三角状角（その折り目線と靴下側縁からなる鋭角）ｗを作る（図１４Ｂ（ｂ））。それを裏返したものが図１４Ｂ（ｃ）であり、前記斜めに折り畳まれた際に爪先３の部分側に残った部分で前記鋭角ｗを有する三角形が形成されており、この状態で、同図（ｄ）に示すように爪先３部分を三角状部分（三角形）にその三角状部分の側縁に折り目線が位置してウェルト４に向くように折り重ね、さらに、その爪先３部分を三角状（三角形）の辺に沿って折り返す（図１４Ｃ（ｅ））。その後、三角状部分から突出する脚部及びウェルト部分をその折り返した爪先３部分の上に前記三角状部分の側縁を折り目線として折り重ねる（図１４Ｃ（ｆ））。その裏返した態様が図１４Ｃ（ｇ）であり、その折り重ねたウェルト４部分を三角状部分の折り重ねた折り目線で形成される縁間に入れ込ませて三角板状とする。この三角板状は、側面に飯色が現れ、表面には「ますの切り身模様ｈ」が現れて「ます寿司」態様を得る（同図（ｈ））。
この三角板状になったもの（靴下Ａ１４）を、同様に、図８Ｃ示すように、六角枠状の箱（桶）Ｇ内に環状に六個並べることによって、「富山のます寿司」に模したものとなる。
【００３４】
なお、上記各切り身模様ａ、ｂ、ｃ、ｄ、ｅ、ｆ、ｈ、ｊ、ｋ等の柄出しはカットボスによった。そのカットボスはベースの糸（靴下本体を構成する糸）とは別の糸を入れて編むものであり、柄を細かく表現しようとすると、その別糸が多くなり、横幅の伸びが悪くなる。このため、靴下Ａとして使用できる伸縮性と柄として見栄えが悪くならない点を考慮してその別糸の編み込み量を適宜に設定する。柄を細かくするには、針数の多い編み機を使用する。
【００３５】
上記各靴下Ａ１〜Ａ６、Ａ８、Ａ１１、Ａ１４の魚の切り身模様ａ、ｂ、ｃ、ｄ、ｅ、ｈ、ｈ’は上記のものに限定されないことは勿論であり、その畳み方も上記の態様に限定されないことは勿論である。
また、「握り寿司」、「ます寿司」や「押し寿司」等に限定されず、他の握り寿司や、例えば「稲荷寿司、「助六寿司」、「ちらし寿司」、「五目寿司」、「柿の葉寿司」などの種々の寿司に模したものとし得ることは勿論である。
さらに、上記飯色は、白飯、赤飯、五目飯等のみならず、「軍艦巻き」のように、海苔色（黒）や切り身の地色等も採用でき、それらから種々の色を適宜に選択できる。
【００３６】
上記各実施形態において、切り身等の模様は、糸色や編み方による形成に代えて、刺繍によったり、印刷（プリント）等によったりしてそれらの模様を現すことができる。また、靴下Ａとしては、指無しであったが、二本指（足袋状）のものや五本指の靴下であっても、この発明を採用することができることは勿論である。
このように、今回開示された実施の形態はすべての点で例示であって制限的なものではないと考えられるべきである。この発明の範囲は、特許の範囲によって示され、特許請求の範囲と均等の意味および範囲内でのすべての変更が含まれることが意図される。
【００３７】
なお、上記各実施形態は、寿司又はそれに類する「おむすび」に関するものであったが、この発明は、他の食べ物、例えば、ます寿司の応用例として、同様に、三角状に折り畳んで、環状に配置した「ピザ」や「ケーキ」としたり、ショートケーキ等のカットケーキとしたり、巻き寿司の応用例として、シナモンロールケーキ、ロールケーキ等のケーキ類や伊達巻き等を模すことができる。また、笹寿司の応用例として、四角状のチョコケーキ、ティラミス、豆腐等を模した物などとし得る。それらにおいては、畳んで三角状、四角状とした際、表面に現れる部分に、ピザ等の表面模様が描かれ、側面にはその生地等の色が現れる構成の靴下とする。さらに、寿司を食する時の「湯飲み」に模し得る靴下ともし得る。
【符号の説明】
【００３８】
Ａ１  マグロの握り寿司を模したこの発明に係る実施形態の靴下
Ａ２  玉子焼きの握り寿司を模したこの発明に係る実施形態の靴下
Ａ３  タコの握り寿司を模したこの発明に係る実施形態の靴下
Ａ４  サーモンの握り寿司を模したこの発明に係る実施形態の靴下
Ａ５  エビの握り寿司を模したこの発明に係る実施形態の靴下
Ａ５’  エビの握り寿司を模したこの発明に係る他の実施形態の靴下
Ａ７  いくら軍艦巻きの握り寿司を模したこの発明に係る一実施形態の靴下
Ａ８  ます寿司を模したこの発明に係る一実施形態の靴下
Ａ９  巻き寿司を模したこの発明に係る他の実施形態の靴下
Ａ１０  鯖寿司を模したこの発明に係る他の実施形態の靴下
Ａ１０１  同実施形態をなす一方の靴下
Ａ１０２  同実施形態をなす他方の靴下
Ａ１１  笹寿司を模したこの発明に係る実施形態の靴下
Ａ１１１  同実施形態をなす一方の靴下
Ａ１１２  同実施形態をなす他方の靴下
Ａ１２  おむすびを模したこの発明に係る実施形態の靴下
Ａ１２１  同実施形態をなす一方の靴下
Ａ１２２  同実施形態をなす他方の靴下
Ａ１３  いくら軍艦巻きの握り寿司を模したこの発明に係る他の実施形態の靴下
Ａ１４  ます寿司を模したこの発明に係る他の実施形態の靴下
１  踵
２  脚部
３  爪先
４  ウェルト
ａ  マグロの切り身模様
ｂ  玉子焼きの切り片模様
ｃ  タコの切り身模様
ｄ  サーモン切り身模様
ｅ  エビ模様
ｅ’エビの尻尾片  
ｆ  いくらの詰め模様
ｆ’キュウリの切り片模様片
ｈ、ｈ’  ますの切り身模様
ｉ、ｉ１、ｉ２、ｉ３、ｉ４  巻き寿司の具模様
ｊ  鯖の表皮模様
ｗ  三角状角
Ｇ  ます寿司用箱（桶）
【図１Ａ】
0005902742.tif 000002
【図１Ｂ】
0005902742.tif 000003
【図１Ｃ】
0005902742.tif 000004
【図２Ａ】
0005902742.tif 000005
【図２Ｂ】
0005902742.tif 000006
【図２Ｃ】
0005902742.tif 000007
【図３Ａ】
0005902742.tif 000008
【図３Ｂ】
0005902742.tif 000009
【図３Ｃ】
0005902742.tif 000010
【図４Ａ】
0005902742.tif 000011
【図４Ｂ】
0005902742.tif 000012
【図４Ｃ】
0005902742.tif 000013
【図５Ａ】
0005902742.tif 000014
【図５Ｂ】
0005902742.tif 000015
【図５Ｃ】
0005902742.tif 000016
【図６Ａ】
0005902742.tif 000017
【図６Ｂ】
0005902742.tif 000018
【図７Ａ】
0005902742.tif 000019
【図７Ｂ】
0005902742.tif 000020
【図７Ｃ】
0005902742.tif 000021
【図８Ａ】
0005902742.tif 000022
【図８Ｂ】
0005902742.tif 000023
【図８Ｃ】
0005902742.tif 000024
【図８Ｄ】
0005902742.tif 000025
【図９Ａ】
0005902742.tif 000026
【図９Ｂ】
0005902742.tif 000027
【図９Ｃ】
0005902742.tif 000028
【図１０Ａ】
0005902742.tif 000029
【図１０Ｂ】
0005902742.tif 000030
【図１０Ｃ】
0005902742.tif 000031
【図１１Ａ】
0005902742.tif 000032
【図１１Ｂ】
0005902742.tif 000033
【図１１Ｃ】
0005902742.tif 000034
【図１２Ａ】
0005902742.tif 000035
【図１２Ｂ】
0005902742.tif 000036
【図１２Ｃ】
0005902742.tif 000037
【図１３Ａ】
0005902742.tif 000038
【図１３Ｂ】
0005902742.tif 000039
【図１３Ｃ】
0005902742.tif 000040
【図１４Ａ】
0005902742.tif 000041
【図１４Ｂ】
0005902742.tif 000042
【図１４Ｃ】
0005902742.tif 000043